【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
当該情報保存媒体上の各領域が記録可能及び／又は再生可能であるか指定する互換性情報が記録される互換性情報領域を有する情報保存媒体であって、
当該情報保存媒体に対する他の記録防止手段が存在する場合、当該情報保存媒体の記録防止は、前記他の記録防止手段及び前記互換性情報に対してＯＲ演算を実行した結果に基づき決定される情報保存媒体。
【請求項２】
前記互換性情報は、前記互換性情報領域が記録可能及び／又は再生可能であるかに関する状態情報と、欠陥管理領域（ＤＭＡ）が記録可能及び／又は再生可能であるかに関する状態情報との少なくとも１つを有する、請求項１記載の情報保存媒体。
【請求項３】
前記互換性情報は、当該情報保存媒体上の各領域が記録可能であるかに関する状態情報と、当該情報保存媒体上の各領域が再生可能であるかに関する状態情報と、当該情報保存媒体上の各領域がアクセス可能であるかに関する状態情報との少なくとも１つを有する、請求項１記載の情報保存媒体。
【請求項４】
当該情報保存媒体上にデータを記録する際に記録防止フラグが設定されている場合、前記データが当該情報保存媒体上に記録されることを防ぐため、前記記録防止フラグは前記互換性情報に対し優先する、請求項１記載の情報保存媒体。
【請求項５】
情報保存媒体上の各領域が記録可能及び／又は再生可能であるか指定する互換性情報が記録される互換性情報領域を有する情報保存媒体に対してデータを記録及び／又は再生する装置であって、
前記情報保存媒体上の各領域が記録可能及び／又は再生可能であるか指定する前記互換性情報を書き込み及び／又は読み出しする記録再生ユニットと、
前記互換性情報を参照して前記情報保存媒体に対して前記データを書き込み及び／又は読み出しするよう前記記録再生ユニットを制御する制御ユニットと、
を有し、
前記情報保存媒体に対する他の記録防止手段が存在する場合、前記情報保存媒体の記録防止は、前記他の記録防止手段及び前記互換性情報に対してＯＲ演算を実行した結果に基づき決定される装置。
【請求項６】
前記互換性情報は、前記互換性情報領域が記録可能及び／又は再生可能であるかに関する状態情報と、欠陥管理領域（ＤＭＡ）が記録可能及び／又は再生可能であるかに関する状態情報との少なくとも１つを有する、請求項５記載の装置。
【請求項７】
前記互換性情報が、前記情報保存媒体が記録可能及び／又は再生可能でないと示す場合、前記制御ユニットは、前記情報保存媒体が記録可能及び再生可能でないと示すエラーメッセージをホストに送信する、請求項５記載の装置。
【請求項８】
前記情報保存媒体上にデータを記録する際に記録防止フラグが前記情報記録媒体に設定されている場合、データが前記情報保存媒体上に記録されることを防ぐため、前記制御ユニットは、前記互換性情報に対して記録防止フラグを優先させる、請求項５記載の装置。
【請求項９】
当該情報保存媒体上の各領域が記録可能及び／又は再生可能であるか指定する互換性情報が記録される互換性情報領域を有する情報保存媒体であって、
当該情報保存媒体の記録防止は、当該情報保存媒体が含まれるカートリッジの記録防止ホール情報と、記録防止フラグと、前記互換性情報とに対してＯＲ演算を実行した結果に基づき決定される情報保存媒体。
【請求項１０】
前記記録防止ホール情報と、前記記録防止フラグと、前記互換性情報との少なくとも１つが、当該情報保存媒体を記録防止する場合、前記データが当該情報保存媒体に記録されることが禁止される、請求項９記載の情報保存媒体。
【請求項１１】
情報保存媒体上の各領域が記録可能及び／又は再生可能であるか指定する互換性情報が記録される互換性情報領域を有する情報保存媒体に対してデータを記録及び／又は再生する装置であって、
前記情報保存媒体上の各領域が記録可能及び／又は再生可能であるか指定する前記互換性情報を書き込み及び／又は読み出しする記録再生ユニットと、
前記互換性情報を参照して前記情報保存媒体に対して前記データを書き込み及び／又は読み出しするよう前記記録再生ユニットを制御する制御ユニットと、
を有し、
前記情報記録媒体の記録防止は、前記情報保存媒体が含まれるカートリッジの記録防止ホール情報と、記録防止フラグと、前記互換性情報とに対してＯＲ演算を実行した結果に基づき決定される装置。
【請求項１２】
前記記録防止ホール情報と、前記記録防止フラグと、前記互換性情報との少なくとも１つが、当該情報保存媒体を記録防止する場合、前記制御ユニットは、前記データが前記情報保存媒体に記録されることが禁止されていると判断する、請求項１１記載の装置。
【請求項１３】
当該情報記録媒体が複数のレイヤを有する場合、各レイヤの情報は、各レイヤの各領域が記録可能及び／又は再生可能であるか指定する前記互換性情報を各レイヤのリードイン又はリードアウト領域に記録することによって取得される、請求項１記載の情報保存媒体。
【請求項１４】
当該情報記録媒体が複数のレイヤを有する場合、各レイヤの情報は、各レイヤの各領域が記録可能及び／又は再生可能であるか指定する前記互換性情報を各レイヤのリードイン又はリードアウト領域に記録することによって取得される、請求項９記載の情報保存媒体。
【請求項１５】
当該情報保存媒体が既存のドライブより高いバージョンであるか否かに関係なく、前記互換性情報は、当該情報保存媒体上のリードイン領域、ユーザデータ領域及びリードアウト領域が記録可能及び／又は再生可能であるかに関する基本情報を前記既存のドライブに提供する、請求項１記載の情報保存媒体。
【請求項１６】
当該情報保存媒体が既存のドライブより高いバージョンであるか否かに関係なく、前記互換性情報は、当該情報保存媒体上のリードイン領域、ユーザデータ領域及びリードアウト領域が記録可能及び／又は再生可能であるかに関する基本情報を前記既存のドライブに提供する、請求項９記載の情報保存媒体。
【請求項１７】
新たな機能をサポートする当該情報保存媒体上に、前記互換性情報領域又は前記ＤＭＡ以外の領域が新たに定義される場合でさえ、ドライブのファームウェアを変更することによって、前記新たに定義される各領域が記録可能及び／又は再生可能であるか指定する状態情報をさらに有するよう前記互換性情報が変更される、請求項２記載の情報保存媒体。
【請求項１８】
新たな機能をサポートする当該情報保存媒体上に、前記互換性情報領域又は前記ＤＭＡ以外の領域が新たに定義される場合でさえ、ドライブのファームウェアを変更することによって、前記新たに定義される各領域が記録可能及び／又は再生可能であるか指定する状態情報をさらに有するよう前記互換性情報が変更される、請求項９記載の情報保存媒体。
【請求項１９】
前記記録防止ホール情報と前記記録防止フラグの両方が、前記データが当該情報保存媒体に記録されることを許可する場合、当該情報保存媒体のリードイン領域、ユーザデータ領域又はリードアウト領域に前記データを記録するか、対応する互換性情報に基づき決定される、請求項１０記載の情報保存媒体。
【請求項２０】
当該情報記録媒体が記録防止されるように、前記記録防止ホール情報又は前記記録防止フラグが設定されている場合、前記互換性情報が当該情報保存媒体のリードイン領域、ユーザデータ領域又はリードアウト領域を記録可能と指定していても、前記データは、前記リードイン領域、前記ユーザデータ領域又は前記リードアウト領域に記録されることが禁止される、請求項１０記載の情報保存媒体。